(57)【特許請求の範囲】
【請求項１】
無断撤去または盗難からタブレットコンピュータを保護するためのディスプレイスタンドであって、
タブレットコンピュータを少なくとも部分的に受容するように構成されたスリーブと、
前記スリーブ及び前記タブレットコンピュータを表示用の向きに取り外し可能に支持するように構成されたベースであって、前記スリーブと解除可能に係合するように構成されたロックを備え、ロック状態で前記ベースからの前記スリーブ及び前記タブレットコンピュータの取り外しを防止すべく前記スリーブと係合し、かつ、ロック解除状態で前記ベースからの前記スリーブ及び前記タブレットコンピュータの取り外しを可能にすべく前記スリーブを係合解除するように構成されたベースと、
を備え、
前記ロックが、前記スリーブ及び前記タブレットコンピュータを前記ベースからロック解除するための電子キーと通信するように構成された電子ロックである、ディスプレイスタンド。
【請求項２】
前記タブレットコンピュータは、前記ロック状態にて、前記ベース上で複数の所定の表示の向きから１つを選択可能かつ変更可能に構成されている、請求項１に記載のディスプレイスタンド。
【請求項３】
前記スリーブが、相互に係合して前記タブレットコンピュータを固定するように構成された第１の部分及び第２の部分を備えた、請求項１または２に記載のディスプレイスタンド。
【請求項４】
前記タブレットコンピュータが両端部間に延在する両側部を備え、前記第１の部分及び前記第２の部分が、それぞれ、前記両側部と前記両端部の一方とを覆って囲むように構成された周側部及び周端部を備えた、請求項３に記載のディスプレイスタンド。
【請求項５】
前記スリーブが、前記ベースと解除可能に係合するように構成された係止ラグを備えた、請求項１または２に記載のディスプレイスタンド。
【請求項６】
前記ベースが、前記係止ラグを少なくとも部分的に受容するように構成された凹部を備えた、請求項５に記載のディスプレイスタンド。
【請求項７】
前記ベースが、前記係止ラグと解除可能に係合するように構成された少なくとも１つの係止スタッドを備えた、請求項５に記載のディスプレイスタンド。
【請求項８】
前記係止ラグが、前記少なくとも１つの係止スタッドが解除可能に係合するように構成された溝を備えた、請求項７に記載のディスプレイスタンド。
【請求項９】
前記少なくとも１つの係止スタッドが、機械的に付勢されて前記係止ラグと係合するように構成された、請求項７に記載のディスプレイスタンド。
【請求項１０】
前記電子ロックが、前記電子キーから前記電子ロックを動作させる電力を受信するように構成された、請求項１または２に記載のディスプレイスタンド。
【請求項１１】
前記電子ロックがセキュリティコードを含み、前記電子ロックが、前記電子キーから一致するセキュリティコードを受信したことに応答してロック解除するように構成された、請求項１または２に記載のディスプレイスタンド。
【請求項１２】
前記ベース内に配設された警報器ユニットをさらに備え、前記警報器ユニットが、前記スリーブ及び前記タブレットコンピュータが無断で前記ベースから取り外された場合に警報器を起動するように構成された、請求項１または２に記載のディスプレイスタンド。
【請求項１３】
前記警報器ユニットが、その作動又は非作動用の前記電子キーと通信するように構成された、請求項１２に記載のディスプレイスタンド。
【請求項１４】
前記ベースが、前記タブレットコンピュータの充電又は前記タブレットコンピュータへの給電を行う手段を備えた、請求項１または２に記載のディスプレイスタンド。
【請求項１５】
無断撤去又は盗難からタブレットコンピュータを保護するためのディスプレイスタンドであって、
タブレットコンピュータを少なくとも部分的に受容するように構成されたスリーブと、
前記スリーブと解除可能に係合するように構成されたベースと、
前記スリーブ及び前記タブレットコンピュータを前記ベースにロックして前記ベースからの前記スリーブ及び前記タブレットコンピュータの取り外しを防止するように構成されたロックと、
前記ロックを解除して前記ベースから前記スリーブ及び前記タブレットコンピュータを取り外し可能にする電力を伝送するように構成された電子キーと、
を備えた、ディスプレイスタンド。
【請求項１６】
無断撤去又は盗難からタブレットコンピュータを保護する方法であって、
スリーブ内にタブレットコンピュータを配置するステップと、
前記スリーブ及び前記タブレットコンピュータをベースにロックして前記ベースからの前記スリーブ及び前記タブレットコンピュータの取り外しを防止するステップと、
前記タブレットコンピュータが前記ベースにロックされている間に、前記ベース上で、複数の所定の表示の向きのうちの１つに前記タブレットコンピュータを選択的に位置させるステップと、
前記ロックを電子キーで解除して前記ベースから前記スリーブ及び前記タブレットコンピュータを取り外し可能にするステップと、
を含む方法。
【請求項１７】
前記ベースは、前記スリーブの前記ベースからの取り外しを検出するように構成されたスイッチをさらに含む、請求項１に記載のディスプレイスタンド。
【請求項１８】
前記複数の表示の向きは、横方向と縦方向を含む、請求項２に記載のディスプレイスタンド。
【請求項１９】
前記スリーブは、前記ベースに対して軸周りに回転可能に構成されている、請求項２に記載のディスプレイスタンド。
【請求項２０】
前記タブレットコンピュータの前記複数の表示の向きのそれぞれが、前記軸に対して垂直に配置されている、請求項１９に記載のディスプレイスタンド。
【請求項２１】
無断撤去または盗難からタブレットコンピュータを保護するためのディスプレイスタンドであって、
タブレットコンピュータを少なくとも部分的に受容するように構成されたスリーブと、
前記スリーブ及び前記タブレットコンピュータを表示用の向きに取り外し可能に支持するように構成されたベースであって、前記スリーブと解除可能に係合するように構成されたロックを備え、ロック状態で前記ベースからの前記スリーブ及び前記タブレットコンピュータの取り外しを防止すべく前記スリーブと係合し、かつ、ロック解除状態で前記ベースからの前記スリーブ及び前記タブレットコンピュータの取り外しを可能にすべく前記スリーブを係合解除するように構成されたベースと、
を備え、
前記ロックが、前記スリーブ及び前記タブレットコンピュータを前記ベースからロック解除するための電子キーと通信するように構成された電子ロックであり、
前記スリーブが、相互に係合して前記タブレットコンピュータを固定するように構成された第１の部分及び第２の部分を備えた、ディスプレイスタンド。
【請求項２２】
無断撤去または盗難からタブレットコンピュータを保護するためのディスプレイスタンドであって、
タブレットコンピュータを少なくとも部分的に受容するように構成されたスリーブと、
前記スリーブ及び前記タブレットコンピュータを表示用の向きに取り外し可能に支持するように構成されたベースであって、前記スリーブと解除可能に係合するように構成されたロックを備え、ロック状態で前記ベースからの前記スリーブ及び前記タブレットコンピュータの取り外しを防止すべく前記スリーブと係合し、かつ、ロック解除状態で前記ベースからの前記スリーブ及び前記タブレットコンピュータの取り外しを可能にすべく前記スリーブを係合解除するように構成されたベースと、
を備え、
前記ロックが、前記スリーブ及び前記タブレットコンピュータを前記ベースからロック解除するための電子キーと通信するように構成された電子ロックであり、
前記スリーブが、前記ベースと解除可能に係合するように構成された係止ラグを備えた、ディスプレイスタンド。
【発明の詳細な説明】
【技術分野】
【０００１】
本発明の実施形態は一般的に、盗難又は撤去からタブレットコンピュータを保護するためのディスプレイスタンドに関する。
【背景技術】
【０００２】
製造、小売り、又はオフィス環境でタブレットコンピュータを保護するものとして、一般的に「キオスク」スタンドとも称されるセキュリティスタンドが知られている。商業的にＶＯＬＴ（商標）として知られているタブレットコンピュータ用セキュリティスタンドは、Ｖａｎｇｕａｒｄ  Ｐｒｏｔｅｘ  Ｇｌｏｂａｌ，Ｉｎｃ．（ＶＰＧ）から入手可能である。ＶＯＬＴ（商標）セキュリティスタンドは、ディスプレイ架台と、タブレットコンピュータに取り付けられるように構成され、取り外し可能に架台に支持された切断センサとを備える。また、ＶＯＬＴ（商標）セキュリティスタンドは、電力の供給及び／又は電源アダプタコードを介してタブレットコンピュータの充電を行う手段を備えてもよく、タブレットコンピュータが切断センサから取り外された場合に警報器を起動する監視用電子機器を含む警報器モジュールに対して電気的に接続されてもよい。ただし、ＶＯＬＴ（商標）セキュリティスタンドの切断センサは、Ａｐｐｌｅ（登録商標）ｉＰａｄ（登録商標）タブレットコンピュータ等のタブレットコンピュータを囲むように構成されたスリーブを備えていない。
【０００３】
商業的にＡｒｃｈｅｌｏｎ（商標）ｉＰａｄ  Ｅｎｃｌｏｓｕｒｅとして知られているｉＰａｄ（登録商標）タブレットコンピュータ用筐体は、ｉＰａｄ（登録商標）を受容するように構成された内側フレームと、機械的留め具によって内側フレームに固定された外側フレームとを備える。内側フレームは、当該フレーム及びｉＰａｄ（登録商標）を好きなだけ傾斜、１８０°回転、及び／又は角度変更できるように、キオスクスタンドに移動可能に搭載されている。
【０００４】
商業的にＪａｃｋｅｔ  ｉＰａｄ（登録商標）  Ｅｎｃｌｏｓｕｒｅとして知られているｉＰａｄ（登録商標）タブレットコンピュータ用筐体は、バレルロックキーでｉＰａｄタブレットコンピュータ周りに固定・係止されたツーピースのフレームを備える。Ｊａｃｋｅｔ  ｉＰａｄ（登録商標）  Ｅｎｃｌｏｓｕｒｅは、任意選択のマウントに支持されるとともに係止されてもよい。
【発明の概要】
【０００５】
本発明の実施形態は、無断撤去又は盗難からタブレットコンピュータを保護するためのディスプレイスタンドに関する。このディスプレイスタンドは、タブレットコンピュータを少なくとも部分的に受容するように構成されたスリーブと、当該スリーブと解除可能に係合するように構成されたロックを備えたベースとを備えてもよい。ベースは、ロック状態でスリーブと係合してベースからのスリーブ及びタブレットコンピュータの取り外しを防止するとともに、ロック解除状態でスリーブを係合解除してベースからスリーブ及びタブレットコンピュータを取り外し可能にするように構成されてもよい。
【０００６】
いくつかの実施形態において、スリーブは、相互に係合してタブレットコンピュータを固定するように構成された第１の部分及び第２の部分を備える。タブレットコンピュータは、両端部間に延在する両側部を備えてもよく、第１の部分及び第２の部分はそれぞれ、両側部と両端部の一方とを覆って囲むように構成された周側部及び周端部を備えてもよい。
【０００７】
一態様によれば、スリーブは、ベースと解除可能に係合するように構成された係止ラグを備える。ベースは、係止ラグを少なくとも部分的に受容するように構成された凹部を備えてもよい。また、ベースは、係止ラグと解除可能に係合するように構成された少なくとも１つの係止スタッドを備えてもよい。係止ラグは、上記少なくとも１つの係止スタッドが解除可能に係合するように構成された溝を備えてもよい。一実施例において、上記少なくとも１つの係止スタッドは、機械的に付勢されて係止ラグと係合するように構成されている。
【０００８】
他の実施形態において、ベースは、スリーブ及びタブレットコンピュータを当該ベースに対してロック及び／又はロック解除するキーと協働するように構成されたロックを備える。ロックは、キーと協働するように構成された機械式ロック又は電子キーと通信するように構成された電子ロックを備えてもよい。電子ロックは、電子キーから当該電子ロックを動作させる電力を受信するように構成されてもよい。一実施形態において、電子ロックはセキュリティコードを含み、当該電子ロックが、電子キーから一致するセキュリティコードを受信したことに応答してロック解除するように構成されている。いくつかの実施形態において、このディスプレイスタンドは、ベース内に配設された警報器ユニットをさらに備え、当該警報器ユニットが、スリーブ及びタブレットコンピュータが無断でベースから撤去された場合に警報器を起動するように構成されている。警報器ユニットは、その作動又は非作動用の電子キーと通信するように構成されてもよい。さらに、ベースは、タブレットコンピュータの充電又はタブレットコンピュータへの給電を行う手段を備えてもよい。
【０００９】
別の実施形態においては、無断撤去又は盗難からタブレットコンピュータを保護するためのディスプレイスタンドが提供される。このディスプレイスタンドは、タブレットコンピュータを少なくとも部分的に受容するように構成されたスリーブと、当該スリーブと解除可能に係合するように構成されたベースとを備える。また、このディスプレイスタンドは、スリーブ及びタブレットコンピュータをベースにロックしてベースからのスリーブ及びタブレットコンピュータの取り外しを防止するように構成されたロックを備える。さらに、このディスプレイスタンドは、ロックを解除してベースからスリーブ及びタブレットコンピュータを取り外し可能にするように構成されたキーを備える。
【００１０】
一実施形態によれば、無断撤去又は盗難からタブレットコンピュータを保護する方法が提供される。この方法は、スリーブ内にタブレットコンピュータを配置するステップと、スリーブ及びタブレットコンピュータをベースにロックしてベースからのスリーブ及びタブレットコンピュータの取り外しを防止するステップとを含む。この方法は、ロックをキーで解除してベースからスリーブ及びタブレットコンピュータを取り外し可能にするステップをさらに含む。いくつかの実施形態において、この方法は、複数の所定の表示の向きのうちの１つでスリーブ及びタブレットコンピュータを表示するステップをさらに含む。上記ロック解除するステップは、ロックを電子キーで解除するサブステップを含んでいてもよい。
【図面の簡単な説明】
【００１１】
【図１】本発明の一実施形態に係る、セキュリティスタンドのツーピースのスリーブ及びスリーブで囲まれるタブレットコンピュータを示した上面図である。
【図２】スリーブの第１のピースに挿入され、一部が囲まれたタブレットコンピュータを示した上面図である。
【図３】スリーブに取り囲まれ、セキュリティスタンドのベースに取り付けられてロックされるように配置されたタブレットコンピュータを示した外部斜視図であって、タブレットコンピュータを含むスリーブをベースにロックし、その後、スリーブをベースからロック解除するプログラム可能な電子キーをさらに示している。
【図４】セキュリティスタンドのベースにロックされたタブレットコンピュータを含むスリーブを示した外部斜視図である。
【図５】セキュリティスタンドのベース上に縦向きに配置されたタブレットコンピュータの前面図である。
【図６】セキュリティスタンドのベース上に横向きに配置されたタブレットコンピュータの前面図である。
【発明を実施するための形態】
【００１２】
以下、本発明の種々実施形態を示す添付の図面を参照して、本発明の実施形態をより詳細に説明する。ただし、本発明は、多くの異なる形態で実施することができ、本明細書に示す実施形態に限定されるものと解釈すべきではない。これらの実施形態は、本開示が詳細かつ完全となるように提供するものであり、当業者に対して本発明の範囲を十分に伝えることになる。全体を通して、同様の番号は、同様の要素を表している。
【００１３】
本発明の実施形態は、例えばＡｐｐｌｅ，Ｉｎｃ．が製造・販売しているｉＰａｄ（登録商標）等のタブレットコンピュータに用いる商品としてのディスプレイセキュリティスタンドに関する。このセキュリティスタンドは、タブレットコンピュータを囲むように構成されたスリーブと、ベースに対してスリーブを解除可能に取り付けるように動作可能な当該ベースとを備える。ベースは、警報器と、タブレットコンピュータ及びセキュリティスリーブがベースから取り外された場合に警報器を起動する監視用電子機器とを備えてもよい。また、ベースは、例えば接触又は誘導充電によってタブレットコンピュータの内部バッテリを充電する手段をさらに備えてもよい。
【００１４】
いくつかの実施形態において、本発明は、Ａｐｐｌｅ，Ｉｎｃ．が製造・販売しているｉＰａｄ（登録商標）タブレットコンピュータに用いる商品としてのディスプレイセキュリティスタンドすなわちキオスクスタンドである。このディスプレイスタンドは、タブレットコンピュータを受容するとともに、スリーブ及びタブレットコンピュータを所望の向きでベースにロックするように構成された当該スリーブを備える。ベースは、警報器と、スリーブ及びタブレットコンピュータが当該ベースから取り外された場合に警報器を起動する監視用電子機器とを備えてもよい。また、このディスプレイスタンドは、例えば接触又は誘導充電によるタブレットコンピュータの内部バッテリの充電及び／又はタブレットコンピュータへの動作電力の供給を行う手段をさらに備えてもよい。このディスプレイスタンドは、任意の小売り、製造、又はオフィス環境で、タブレットコンピュータを都合の良い向きで搭載するために使用することができ、従業員及び／又は顧客が使用できるようにする一方、盗難又は撤去からｉＰａｄを保護する。本明細書ではｉＰａｄ（登録商標）タブレットコンピュータに言及しているが、上記スリーブは、他の製造業者によるタブレットコンピュータ（例えば、ＭｉｃｒｏｓｏｆｔのＳｕｒｆａｃｅタブレット、ＳａｍｓｕｎｇのＧａｌａｘｙ  Ｎｏｔｅタブレット等）にも適合可能であることを理解されたい。さらに、本明細書においては「スリーブ」という用語を使用しているが、何ら限定的なものではなく、タブレットコンピュータを受容するとともに動作可能にベースと係合するように構成された任意のスリーブ、シュラウド等であってもよいことを理解されたい。
【００１５】
一実施形態によれば、図１は、ｉＰａｄ（登録商標）タブレットコンピュータ１５を囲むように構成された（すなわち、そのためのサイズ及び形状を有する）ディスプレイスタンド１０（図３）のスリーブ２０を示した上面図である。スリーブ２０は、第１の部分２４と、当該第１の部分よりも若干小さな第２の部分２８とを備える。スリーブ２０の第１の部分２４及び第２の部分２８は、硬質プラスチック、複合材、又は薄板金属等の形成可能で実質的に堅い材料で構成されているのが好ましい。図２に示すように、タブレットコンピュータ１５がスリーブ２０の第１の部分２４に受け入れられ、第１の部分から延出するタブレットコンピュータの自由端に第２の部分２８が配置される。第１の部分２４には、タブレットコンピュータ１５の両側部及び一端部を覆って囲む周側部２１、２２及び周端部２３が設けられている。同様に、第２の部分２８には、タブレットコンピュータ１５の両側部及び他端部を覆って囲む周側部２５、２６及び周端部２７が設けられている。第１の部分２４及び第２の部分２８は、内部に配設されたタブレットコンピュータ１５とともに固定され、機械的留め具２９、３０、３１によって周側部２１、２２、２５、２６及び周端部２３、２７に収容されている。留め具２９、３０、３１には、他者が容易に入手できない専用工具を要する不正開封防止ヘッドが設けられ、当該留め具を潜在的な泥棒が容易に取り外しできないようにするのが好ましい。あるいは、留め具２９、３０、３１は、第１の部分２４及び第２の部分２８に配置して、タブレットコンピュータ１５を収容したスリーブ２０が後述するようにディスプレイスタンドの所定の位置にロックされた場合にアクセスできないようにしてもよい。
【００１６】
図３は、スリーブ２０の第１の部分２４及び第２の部分２８に収容され、ディスプレイスタンド１０のベース４０に取り付けられるように配置されたタブレットコンピュータ１５を示した外部斜視図である。ベース４０は、スリーブ２０の第１の部分２４の後部又は下面から延出した少なくとも１つの対応する係止ラグ３５を受容するように構成された少なくとも１つの開口又は凹部４５を備えてもよい。係止ラグ３５は、ベース４０の凹部４５に受け入れられるように構成され、ベース内に配設された係止スタッド、ピン、カム等（図示せず）が係止ラグ上に設けられた対応するスロット又は溝３７と係合するように構成されている。係止スタッドは、係止ラグ３５の溝３７と係合して、スリーブ２０及びタブレットコンピュータ１５をベース４０に係止する。また、係止スタッドは、係止ラグの溝を係合解除して、スリーブ及びタブレットコンピュータをベースからロック解除する。係止ラグ３５の溝３７は、係止スタッドによって、図４及び図５に示すような縦向きあるいは図６に示すような横向きに、スリーブ２０及びタブレットコンピュータ１５を好きなようにディスプレイスタンド１０のベース４０にロックするように構成されている。図示の係止ラグ３５及び溝３７は何ら限定的なものではなく、他の係止機構を採用してもよいことを理解されたい。例えば、係止溝３７は、係止ラグ３５の少なくとも一部の周りに延在してもよく、係止溝と係合するように構成された複数の係止スタッドが存在してもよい。あるいは、係止ラグ３５に係止スタッドを設け、ベース４０が係止溝３７を備えられるようにしてもよい。
【００１７】
一実施形態において、ベースは、係止スタッドを作動させる機械式ロックを備えてもよく、キーを用いることによって、ロック解除状態とロック状態との間で係止スタッドを移動させるようにしてもよい。あるいは、図３に示すように、プログラム可能な電子キー５０及び対応するプログラム可能な電子ロック５５を用いることによって、ロック解除状態とロック状態との間で係止スタッドを作動させるようにしてもよい。プログラム可能な電子キー５０及びプログラム可能な電子ロック５５にはそれぞれ、セキュリティコードが設けられている。キーの電子機器がロックの電子機器とデータ通信するように、キー５０は、ロック５５に隣接して配置されている。キー５０のセキュリティコードがロック５５のセキュリティコードと一致した場合、キーは、電力をロックに伝送してロック解除状態とロック状態との間で係止スタッドを動作させる権限を有する。キー５０は、任意の既知の方法で電力をロック５５に伝送するようにしてもよい。ただし、好適な一実施形態において、キー５０は、誘導伝送により電力をロック５５に伝送する。別の実施形態において、係止スタッドは、例えばバネ等の弾性部材によって、ロック状態側へ機械的に付勢されてもよい。このように、係止ラグ３５がベース４０の凹部４５に受け入れられ、凹部内に完全に着座した場合に付勢されてロック状態となったら、係止スタッドは、弾性部材の付勢力に抗してロック状態からロック解除状態へと移行される。そして、キー５０及びロック５５を用いることにより、弾性要素の付勢力に抗して係止スタッドをロック状態からロック解除状態へと移行させる。キー５０がロック５５から抜脱されると、係止スタッドは、弾性要素の付勢力によってロック状態に戻ることができる。
【００１８】
ディスプレイスタンド１０には、ベース内に配設され、警報器と、スリーブ２０及びタブレットコンピュータ１５が無断でベースから取り外された場合に警報器を起動する監視用電子機器とを備えた警報器ユニット４７が必要に応じて設けられてもよい。例えば、プログラム可能な電子キー５０を用いることによって、電気信号を伝達することにより、警報器ユニット４７の監視用電子機器を使用すなわち「作動」させるようにしてもよい。同様に、プログラム可能な電子キー５０をさらに用いることによって、電気信号を伝達することにより、監視用電子機器を非使用すなわち「非作動」とするようにしてもよい。監視用電子機器は、作動した場合、スリーブ２０上に配設された係止ラグ３５とベース４０に形成された凹部４５との間に動作可能に配置されたリミットスイッチ等のセンサスイッチを監視する。キー５０が警報器ユニットの監視用電子機器を非作動とする前に係止ラグ３５が凹部４５から取り外された場合、監視用電子機器は、警報器を起動する。キー５０を用いて監視用電子機器を非作動としたら、係止ラグ３５が凹部４５から取り外し可能となり、センサスイッチに応答して監視用電子機器が警報器を起動することはない。ベース４０の警報器ユニット４７には、センサスイッチを含めて、外部電源から電力を供給するようにしてもよい。あるいは、キー５０から伝送された電力によりロック５５が動作し、ディスプレイスタンド１０のその他の部分は完全に機械式であることから、警報器ユニット４７には、希望により交換式又は充電式の内部バッテリが設けられてもよい。
【００１９】
上記説明及び関連する図面に提示した教示内容の利益を得る当業者であれば、本発明の多くの改良及び他の実施形態が容易に明らかとなるであろう。したがって、本発明は、本明細書に開示の特定の実施形態に限定されるべきではなく、開示の実施形態の改良及び他の未開示の実施形態についても、添付の特許請求の範囲に含まれるものであることを理解及び認識されたい。
【図１】
0005960925.tif 000002
【図２】
0005960925.tif 000003
【図３】
0005960925.tif 000004
【図４】
0005960925.tif 000005
【図５】
0005960925.tif 000006
【図６】
0005960925.tif 000007